(57)【要約】【課題】  本発明は、栞等のシート状添付物が添付でき、さらに、誰でも装着の簡単なブックカバーを安価に提供することを目的とする。【解決手段】  本発明は、書籍表紙部に折り込む折込部２を有するブックカバーカバーであって、当該ブックカバーを装着する書籍の大きさに応じて形成した折畳み予定線７と、前記折込部２の少なくとも一部に粘着剤層２１の形成された粘着剤形成領域２２を設け、前記粘着剤形成領域２２を覆うようにシート状添付物３を兼ねる剥離シート４を設けることにより上記の課題を解決する。【選択図】  図１
2006150761.tif 000002
【特許請求の範囲】
【請求項１】
表紙部に折り込む折込部を有するブックカバーにおいて、当該ブックカバーを装着する書籍の大きさに応じて形成した折畳み予定線と、前記折込部の少なくとも一部に粘着剤層の形成された粘着剤形成領域を設け、前記粘着剤形成領域を覆うようにシート状添付物を兼ねる剥離シートを設けたこと、を特徴とするブックカバー。
【請求項２】
表紙部に折り込む折込部を有するブックカバーにおいて、当該ブックカバーを装着する書籍の大きさに応じて形成した折畳み予定線と、前記折込部の少なくとも一部に粘着剤層の形成された粘着剤形成領域を設け、前記粘着剤形成領域を覆うように剥離シートを設け、前記折込部の一部を切取ってシート状添付物として使用するための切取り予定線を前記折込部に設けたこと、を特徴とするブックカバー。
【請求項３】
請求項１または２記載の粘着剤が再剥離再貼付可能な粘着剤であること、を特徴とするブックカバー。
【請求項４】
請求項１または２記載の剥離シートを構成する用紙の厚みは、ブックカバー本体を構成する用紙の厚みよりも厚いこと、を特徴とするブックカバー。
【請求項５】
請求項１から４何れか記載のシート状添付物には機械認識可能な情報識別手段が付与されていること、を特徴とするブックカバー。
【請求項６】
請求項１から５何れか記載のブックカバー本体の表裏面ならびにシート状添付物の表面にはプリンターにより情報の印字が可能であること、を特徴とするブックカバー。
【請求項７】
請求項１から６何れか記載のシート状添付物は、栞、葉書、割引券、クーポン券、シール類、ラベル類、付箋紙、各種カード類、説明書、籤、暦の何れかの機能を有すること、を特徴とするブックカバー。
【発明の詳細な説明】
【技術分野】
【０００１】
本発明は、書籍、雑誌、各種冊子、ノートブック、手帳、通帳など（以下、単に書籍という）を保護するために書籍の表紙部分を覆い包むブックカバーに関するものである。
【０００２】
特に、本発明は、ブックカバー本来の書籍を保護する機能に加えて、栞、葉書、割引券、クーポン券、シール類、ラベル類、付箋紙、各種カード類、説明書、籤、暦などのをブックカバー利用者に提供する機能を併せ持つブックカバーに関するものである。
【背景技術】
【０００３】
ブックカバーは、書籍表紙部の上から両サイドを折り返しただけの簡単なつくりになっていることが多い。
【０００４】
そこで、書籍からブックカバーが簡単に脱落してしまうのを防止するために、ブックカバーの裏面に粘着剤を塗布し、書籍からブックカバーが簡単に脱落するのを防止するものが知られている。（例えば、特許文献１参照）
また、例えば長編小説等を読む場合、時間のない現代では一気に読破できない場合が多く、栞が必要となる。このような場合を想定して、ブックカバーの一部に切り離し可能な栞を設けたものが知られている。（例えば、特許文献２参照）
一般に、書店で書籍を購入した際、書店側で用意したブックカバーを書籍に付けてもらう場合が多い。  書店においては各種のサイズのブックカバーが予め用意されている。書店の店員は、販売する書籍のサイズに応じて、多種のブックカバーの中から書籍の大きさに合ったブックカバーを素早く取り出し、さらに書籍にあわせて適宜のサイズに折畳むなどして短時間の内にブックカバーを書籍に装着する。慣れないとなかなかうまく装着できないのである。さらに、書籍販売時に、栞、各種案内、小型暦、クーポン券などを書籍に添付する場合もある。
【０００５】
他方、書籍の通信販売（以下、「通販」という）が盛んになってきた。通販は、周囲に書店がない場合や、雪深い山間部で外出できない子供やお年寄りにも好適に利用できるが、都会であっても以下のような『持ち運び』といった観点からも需要が増加してきている。即ち、本は、紙で作られているため、ハードカバーの書籍類や辞書類は一般的に重く、数冊がまとまると持ち帰りが不便であり、また、特に全集のようなものは家に持ち帰るだけで大仕事であるからである。近年では、ＩＴ（Information Technology）化の伸展に伴い、書籍の通販が着実に市民権を得つつある。もちろん、今後ＩＴ化がさらに伸展していけば、電子配信によって書籍や雑誌が減少していくとの予想もあるが、現時点では通販で本を買う、というスタイルが一般的である。
【０００６】
書店販売と、書籍の通販との違いは何か、と言われれば、通販の場合は立ち読みによる内容確認ができず、またブックカバーを付けてもらえない、といったことになる。立ち読みによる内容確認については、当該書籍を購入する意思があって読んでいる人にとっては、例えば『識者のコメント』やら『あらすじ』といったコメント欄を、通販サイトに掲載すれば事足りるとも言える。
【特許文献１】特開平７−２２８０７３号公報
【特許文献２】特開平９−２０２０６９号公報
【発明の開示】
【発明が解決しようとする課題】
【０００７】
以上のように、通販において解決できないのは、現実的にはブックカバーを付けてもらえないという点である。これは、書籍の大きさ、厚さがまちまちであり、販売する書籍に適応するブックカバーのサイズや折り方もまちまちになるので、慣れないとなかなかうまく装着できないといった課題があるからである。さらに、書店販売において行われているような、栞、小型の暦、クーポン券などのサービス品や各種案内書を一々書籍に添付するのも困難であるという課題もある。
【０００８】
そこで、以上の課題を鑑み、本発明は、特に書籍の通販会社が好適に利用でき、且つ、栞等のシート状添付物が添付でき、さらに、誰でも装着の簡単なブックカバーを安価に提供することを目的とする。
【課題を解決するための手段】
【０００９】
本発明は、以下の各態様に記載の手段により上記課題を解決したものである。
【００１０】
即ち、本発明の第１の態様は、表紙部に折り込む折込部（２）を有するブックカバー（１）において、当該ブックカバー（１）を装着する書籍の大きさに応じて形成した折畳み予定線（７）と、前記折込部（２）の少なくとも一部に粘着剤層（２１）の形成された粘着剤形成領域（２２）を設け、前記粘着剤形成領域（２２）を覆うようにシート状添付物（３）を兼ねる剥離シート（４）を設けたこと、を特徴とするブックカバーである。
【００１１】
本発明の第２の態様は、表紙部に折り込む折込部（２）を有するブックカバー（１）において、当該ブックカバー（１）を装着する書籍の大きさに応じて形成した折畳み予定線（７）と、前記折込部（２）の少なくとも一部に粘着剤層（２１）の形成された粘着剤形成領域（２２）を設け、前記粘着剤形成領域（２２）を覆うように剥離シート（４）を設け、前記折込部（２）の一部を切取ってシート状添付物（３０）として使用するための切取り予定線（５２）を前記折込部（２）に設けたこと、を特徴とするブックカバーである。
【００１２】
本発明の第３の態様は、上記第１または２の態様に記載の粘着剤が再剥離再貼付可能な粘着剤であること、を特徴とするブックカバーである。
【００１３】
本発明の第４の態様は、上記第１または２の態様に剥離シート（４）を構成する用紙の厚みは、ブックカバー（１）本体を構成する用紙の厚みよりも厚いこと、を特徴とするブックカバーである。
【００１４】
本発明の第５の態様は、上記第１から４何れかの態様に記載のシート状添付物（３、３０）には、機械認識可能な情報識別手段（６）が付与されていること、を特徴とするブックカバーである。
【００１５】
本発明の第６の態様は、上記第１から５何れかの態様に記載のブックカバー（１）本体の表裏面ならびにシート状添付物（３、３０）の表面にはプリンターにより情報の印字が可能であること、を特徴とするブックカバーである。
【００１６】
本発明の第７の態様は、上記第１から６何れかの態様に記載のシート状添付物（３、３０）は、栞、葉書、割引券、クーポン券、シール類、ラベル類、付箋紙、各種カード類、説明書、籤、暦の何れかの機能を有すること、を特徴とするブックカバーである。
【発明の効果】
【００１７】
本発明の第１の態様によれば、当該ブックカバーを装着する書籍の大きさに応じて当該ブックカバーに予め折畳み予定線が形成されており、且つ、折込部の少なくとも一部に粘着剤層が設けられ、且つ、これを覆う剥離シートはシート状添付物を兼ねる構造なので、栞、小型の暦、クーポン券などのサービス品や各種案内書を別途用意する必要がない。      
【００１８】
従って、簡単に誰でもブックカバーの装着が行えるという効果、ならびに、通販会社において、書籍梱包時に対応するブックカバーを梱包するだけでよいという効果がある。
【００１９】
本発明の第２の態様によれば、剥離シートのよるシート状添付物により得られる効果に加え、折込部２から粘着剤層２１の形成されたシート状添付物も得られるので、一つのブックカバーから異なる形態のシート状添付物が得られるという効果がある。
【００２０】
本発明の第３の態様によれば、上記第１または第２の態様による効果に加え、粘着剤が再剥離再貼付可能な粘着剤であるから貼り替えが何度でも行えるという効果がある。
【００２１】
本発明の第４の態様によれば、上記第１から第３何れかの態様による効果に加え、剥離シート（シート状添付物）を構成する用紙の厚みを、ブックカバー本体を構成する用紙の厚みよりも厚くすることで、剥離シート（シート状添付物）の方がブックカバー本体よりも腰が強くなるので、ブックカバー本体から剥離シート（シート状添付物）を剥がし取る際に剥離シート（シート状添付物）のカールが抑制され、従って、剥離シート（シート状添付物）が二次利用し易くなるという効果がある。
【発明を実施するための最良の形態】
【００２２】
以下、図面を参照して、本発明の実施形態を詳しく説明する。
〔第１の実施形態〕
図１は、本発明によるブックカバーの第１の実施形態を示す概念図である。図中、１はブックカバー１、２は書籍表紙部に折り込まれるブックカバー１の折込部、３は、栞、葉書、割引券、クーポン券、シール類、ラベル類、付箋紙、各種カード類、説明書、籤、暦などに代表されるシート状添付物、４は剥離シート、６はバーコード、二次元コード、ＲＦＩＤ（Radio Frequency Identification ）タグ、磁気記録体などに代表される情報識別手段、７はブックカバー１本体を書籍にあわせて折り易くするための折畳み予定線（印字形成した線、筋押し線、ミシン目、ハーフカットなど）、２１は折込部に形成された粘着剤層、２２は粘着剤層２１の形成された領域を示す粘着剤形成領域、１０は書籍、１１は書籍１０の表紙部である。
【００２３】
まず、書籍と当該書籍に対応するブックカバーの大きさの関係について説明する。書籍１０において、「ｅ」は表紙部１１の縦の長さ（書籍の背の高さ）、「ｂ」は表紙部１１の幅、「ｃ」は書籍の背の幅に概ね相当する。また、図中「ａ」と「ｄ」は折込部２の長さである。前記書籍１０に用いるブックカバー１本体の大きさは、一方の辺の長さは「ｅ」、他方の辺の長さは「ａ＋ｂ＋ｃ＋ｂ＋ｄ」より僅かに大きいサイズに調整してある。通常はブックカバー１の大きさは、書籍を充分に覆い、且つ、書籍の閉じ開き具合を考慮して前記書籍１０の大きさに比べ、ブックカバー１の大きさを僅かに大きく設定するが、本明細書においては、便宜上、同一の符号を用いることとする。
【００２４】
ブックカバー１には折畳み予定線７（７１〜７４）が形成されている。折畳み予定線７の内、７１と７４は折込部２を形成する折畳み予定線、７２と７３は書籍の背に相当する部分に対応する折畳み予定線をそれぞれ示している。
【００２５】
本実施形態においては、ブックカバー１裏面側の折込部２に相当する領域に粘着剤層２１を形成した粘着剤形成領域２２を設け、前記粘着剤形成領域２２を覆うように剥離シート４を設ける。剥離シート４の大きさは、概ね、縦方向が「ｅ」、横方向が「ａ」である。  前記剥離シート４は前記粘着剤層２１から剥ぎ取って使用するシート状添付物３の機能を備えている。
【００２６】
なお、粘着剤形成領域２２はブックカバー１の両端部の折込部２の内、一方の側に形成した例を示しているが、両方の折込部に粘着剤形成領域２２を設け、両方に剥離シート４（シート状添付物３）を設けてもよい。
【００２７】
本実施形態においては、シート状添付物３の例として、栞３１を示している。即ち、剥離シート４をブックカバー１本体から剥ぎ取ると、剥ぎ取った剥離シートは栞３１として利用可能である。栞３１には例えば書店の宣伝等や各種案内が適宜印刷されている。
【００２８】
また、栞３１には機械認識可能な情報識別手段６を設けておくことも可能である。図示の例は、情報識別手段６として２次元コードを形成した例であり、書籍を購入した顧客が携帯電話で前記２次元コードを読み込み所定のサイトを利用するようなサービス形態に応用可能である。
【００２９】
上記栞３１（シート状添付物３）の貼付されたブックカバー１をプリンターにセットし、ブックカバー１本体の表裏面ならびに栞３１（シート状添付物３）の表面に情報を印字することが可能である。例えば、ブックカバー１本体の表裏面と栞３１（シート状添付物３）の表面に共通する２次元コードやその他の情報を印字することができる。
【００３０】
以上のようにして得られた剥離シート４（シート状添付物３）をブックカバー１の折込部２より剥ぎ取る。折込部２には剥離シート４（シート状添付物３）を剥ぎ取ることにより粘着剤層２１があらわれる。粘着剤層２１として適宜の粘着性を有する再剥離再貼付可能な粘着剤を用いることにより前記粘着剤層２１を介してブックカバー１本体を書籍１０に固定できる。なお、適宜の粘着性を有する再剥離再貼付可能な粘着剤であるからブックカバー１本体を書籍１０から取り外すのも容易である。
【００３１】
上記ブックカバー１本体を構成する用紙としては、米坪量６０〜８０グラム／平方メートル程度の包装用紙やクラフト紙（晒・半晒・未晒）が好適である。
【００３２】
上記剥離シート４（シート状添付物３）を構成する用紙としては、米坪量１２７．９〜１５７．０グラム／平方メートル（１１０〜１３５キログラム／四六）の上質紙が好適である。  そして、前記上質紙に剥離インキ（シリコーンを混合させた紫外線硬化型オフセットインキ）をオフセット印刷方式で塗布することで剥離性を付与する。
【００３３】
上記粘着剤層２１を構成する再剥離再貼付可能な粘着剤としては、２Ｅ−ＨＡ（２−エチルヘキシルアクリレート）を主体とするアクリル系微球粘着剤を使用した。
【００３４】
以上のような構成の材料を用いて本発明のブックカバーを作成した結果、ブックカバー１本体から剥離シート４（シート状添付物３）を剥がし取る際に、剥離シート４（シート状添付物３）にカールが生ずることもなく、容易に分離することができた。
【００３５】
〔第２の実施形態〕
図２は、本発明によるブックカバーの第２の実施形態を示す概念図である。剥離シート４（シート状添付物３）の構成以外は、第１の実施形態と同様である。
剥離シート４（シート状添付物３）の大きさは、概ね、縦方向は「ｅ」であり、横方向は「ａ」よりも大きく、「ａ＋ｂ」よりも小さいサイズである。  従って、剥離シート４（シート状添付物３）は横方向の一端部を前記粘着剤形成領域２２の端部に合わせ、他方をブックカバー１本体の横方向「ｂ」の側に延出させるようにする。
【００３６】
このように、本実施形態は大きいサイズのシート状添付物３として応用可能である。例えば、シート状添付物３の例としては葉書３２が挙げられる。
【００３７】
上記葉書３２（シート状添付物３）の貼付されたブックカバー１をプリンターにセットし、ブックカバー１本体の表裏面ならびに葉書３２（シート状添付物３）の表面に所定の情報を印字することが可能である。例えば、ブックカバー１本体の表裏面に書店の宣伝を印字したり、葉書３２（シート状添付物３）の表面に宛名や管理用のバーコード、２次元コード、その他の情報を印字することができる。
【００３８】
〔第３の実施形態〕
図３は、本発明によるブックカバーの第３の実施形態を示す概念図である。剥離シート４（シート状添付物３）の構成以外は、第１の実施形態と同様である。図中、５１は剥離シート４（シート状添付物３）を複数に区分して分離するための切取り予定線（例えば、ミシン目、ハーフカットなど）である。
剥離シート４（シート状添付物３）の大きさは、概ね、縦方向が「ｅ」、横方向が「ａ」である。  前記剥離シート４は前記粘着剤層２１から剥ぎ取って使用するシート状添付物３の機能を備えている。
【００３９】
そして、前記剥離シート４（シート状添付物３）には切取り予定線５１が横方向に複数形成されており、複数に分割して使用するシート状添付物として応用可能である。例えば割引券３３のようなものが挙げられる。図示の例においては、シート状添付物３を切取り予定線５１により横方向に複数（４枚）に分割し、それぞれにバーコード（情報識別手段６）が形成されている。
【００４０】
上記複数の割引券３３（シート状添付物３）の貼付されたブックカバー１をプリンターにセットし、ブックカバー１本体の表裏面ならびに各割引券３３（シート状添付物３）の表面に情報を印字することが可能である。例えば、ブックカバー１本体の表裏面に書店の宣伝を印字したり、各割引券３３（シート状添付物３）の表面に管理用のバーコード、２次元コード、その他の情報を印字することができる。
【００４１】
〔第４の実施形態〕
図４は、本発明によるブックカバーの第４の実施形態を示す概念図である。折込部２の構成以外は、第１の実施形態と同様である。図中、５２は折込部２に設けられた切取り予定線（例えば、ミシン目、ハーフカットなど）である。    
本実施形態においては、第1〜３の実施形態と同様に折込部２の少なくとも一部に粘着剤層２１の形成された粘着剤形成領域２２を設け、前記粘着剤形成領域２２を覆うように剥離シート４（シート状添付物３）を設ける。図4においては剥離シート４（シート状添付物３）の使用例としてブックカバー１の使用方法の説明書３４を示している。
【００４２】
さらに、本実施形態においては、前記折込部２の一部を切取って、前記剥離シート４により構成されるシート状添付物３とは別形態のシート状添付物３０を得るようにするものである。
【００４３】
図４においては、切取り予定線５２によって折込部２を二分割し、二分割されたそれぞれの折込部２に粘着剤層２１を設けるようにした例を示している。このように粘着剤層２１の形成された折込部２を、切取り予定線５２で分離することで粘着剤層２１を具備するシート状添付物３０が得られる。なお、上記のように二分割に限らず多数分割してもよい。
【００４４】
以上のようにして得られたシート状添付物３０は、何らかの物品に貼付して使用するのに適する。即ち、本実施形態のシート状添付物３０は、シール、隠蔽ラベル、付箋紙などに応用可能である。    
例えば、前記剥離シート４からなるシート状添付物３を葉書（図示せず）とし、前記折込部２から得られるシート状添付物３０を隠蔽ラベルとすることで、前記葉書の適宜箇所を前記隠蔽ラベルで隠蔽して使用することが可能である。
【００４５】
〔変形例〕
本発明は以上説明した実施の形態に限定されるものではなく種々の変形が可能であり、それらも本発明の均等の範囲内である。例えば以下のようなものが挙げられる。
【００４６】
（１）第３の実施形態において、剥離シート４（シート状添付物３）に対して切取り予定線５１を横方向に設けた例を示したが、縦方向、あるいは縦横両方向に設けてもよい。また、切取り予定線５１をアイランド形状にしてもよい。
【００４７】
（２）第４の実施形態において、折込部２に設けた切取り予定線５２を挟んで粘着剤層２１を塗り分けて二つの粘着剤形成領域２２を形成した例を示したが、連続した一つの粘着剤形成領域２２を設け、前記粘着剤形成領域２２の中の適宜箇所に切取り予定線５２を設けてもよい。
【００４８】
（３）第４の実施形態において、折込部２に設けた切取り予定線５２は直線状の例を示したが、直線状に限る必要はなく、例えばアイランド形状の切取り予定線５２を設けてもよい。
【図面の簡単な説明】
【００４９】
【図１】本発明によるブックカバーの第１の実施形態を示す概念図である。
【図２】本発明によるブックカバーの第２の実施形態を示す概念図である。
【図３】本発明によるブックカバーの第３の実施形態を示す概念図である。
【図４】本発明によるブックカバーの第４の実施形態を示す概念図である。
【符号の説明】
【００５０】
１  ブックカバー
２  折込部
３、３０  シート状添付物
４  剥離シート
６  情報識別手段
７、７１〜７４  折畳み予定線
１０  書籍
１１  表紙部
２１  粘着剤層
２２  粘着剤形成領域
３１  栞
３２  葉書
３３  割引券
３４  説明書
５１、５２  切取り予定線
【図１】
2006150761.tif 000003
【図２】
2006150761.tif 000004
【図３】
2006150761.tif 000005
【図４】
2006150761.tif 000006